(57)【要約】本発明によれば、伝送すべき変調された光学的信号（Ｓ１，Ｓ２）が相互に、ＮＲＺ変調された信号（Ｓ１，Ｓ２）のもとでは少なくともほぼ０°に、そしてＲＺ変調された信号のもとでは少なくともほぼ１８０°になるように同期化若しくは形成される。これは異なる同期化装置によっても達成可能である。
2005531169.tif 000002
【特許請求の範囲】
【請求項１】
偏光多重化信号（ＰＭＳ）の信号劣化を低減するための方法であって、
前記偏光多重化信号は、変調された第１の光学的信号（Ｓ１）と、同じデータレートで変調され他の偏光を有する第２の光学的信号（Ｓ２）との結合によって形成される形式の方法において、
ＮＲＺ変調信号（Ｓ１，Ｓ２）の伝送の場合に、第１の信号（Ｓ１）と第２の信号（Ｓ２）が少なくともほぼゼロの位相差で伝送され、それにより第１の信号（Ｓ１）と第２の信号（Ｓ２）の変調区間境界がそれぞれ他の信号（Ｓ２，Ｓ１）の評価時点から最大限遠ざかって存在するようにしたことを特徴とする方法。
【請求項２】
前記第１の信号（Ｓ１）と第２の信号（Ｓ２）の間で、２つの信号（Ｓ１，Ｓ２）間の位相差が少なくともほぼゼロに設定される、請求項１記載の方法。
【請求項３】
２つの信号（Ｓ１，Ｓ２）間で位相差がほぼゼロである第１の信号（Ｓ１）と第２の信号（Ｓ２）が生成される、請求項２記載の方法。
【請求項４】
偏光多重化信号（ＰＭＳ）の信号劣化を低減するための方法であって、
前記偏光多重化信号は、変調された第１の光学的信号（Ｓ１）と、同じデータレートで変調され他の偏光を有する第２の光学的信号（Ｓ２）との結合によって形成される形式の方法において、
ビット長の５０％よりも短いパルス長を有するＲＺ変調信号（Ｓ１，Ｓ２）の伝送の場合に、第１の信号（Ｓ１）と第２の信号（Ｓ２）が少なくともほぼ１８０°の位相差で設定され、それにより第１の信号（Ｓ１）と第２の信号（Ｓ２）の変調区間境界がそれぞれ他の信号（Ｓ２，Ｓ１）の評価時点から最大限遠ざかって存在するようにしたことを特徴とする方法。
【請求項５】
第１の信号（Ｓ１）は、第１のデータ信号（ＤＳ１）と共に第１の光学的搬送波信号（ＯＴ１）の変調によって形成され、第２の信号（Ｓ２）は、第２のデータ信号（ＤＳ２）と共に他の偏光を有した第２の光学的搬送波信号（ＯＴ２）の変調によって形成され、前記２つのデータ信号（ＤＳ１，ＤＳ２）は相互に同期化される、請求項１から４いずれか１項記載の方法。
【請求項６】
第１の信号（Ｓ１）は、第１のデータ信号（ＤＳ１）と共に第１の光学的搬送波信号（ＯＴ１）の変調によって形成され、第２の信号（Ｓ２）は、第２のデータ信号（ＤＳ２）と共に他の偏光を有した第２の光学的搬送波信号（ＯＴ２）の変調によって形成され、
前記第１のデータ信号（ＤＳ１）と第２のデータ信号（ＤＳ２）は、バッファされ、唯１つのクロック発生器（１１）によって導出されたクロック信号（ＴＳ１，ＴＳ２）を用いて搬送波信号（０Ｔ１，ＯＴ２）に変調される、請求項１から４いずれか１項記載の方法。
【請求項７】
第１のデータ信号（ＤＳ１）と第２のデータ信号（ＤＳ２）がデータ信号（ＤＳ）の逆多重化によって形成され、第１の信号（Ｓ１）は、第１のデータ信号（ＤＳ１）と共に第１の光学的搬送波信号（ＯＴ１）の変調によって形成され、第２の信号（Ｓ２）は、第２のデータ信号（ＤＳ２）と共に他の偏光を有し第２の光学的搬送波信号（ＯＴ２）の変調によって形成される、請求項１から４いずれか１項記載の方法。
【請求項８】
第１の信号（Ｓ１）は、第１のデータ信号（ＤＳ１）と共に２段若しくは多段の位相変調を用いた第１の光学的搬送波信号（ＯＴ１）の変調によって形成され、第２の信号（Ｓ２）は、第２のデータ信号（ＤＳ２）と共に他の偏光を有し二段若しくは多段の位相変調を用いた第２の光学的搬送波信号（ＯＴ２）の変調によって形成される、請求項１または２記載の方法。
【請求項９】
光学的偏光多重化システムにおける信号劣化低減のための装置であって、
それぞれ１つの変調器（３，４）を備えた２つの信号パス（５，３，８；６，４，８）と、
同じデータレートの２つのデータ信号源（５、６）を有しており、それらはそれぞれ光学的搬送波で変調され、
さらに結合器（８）を有しており、該結合器（８）は、変調された信号（Ｓ１，Ｓ２）を１つの偏光多重化信号（ＰＭＳ）に結合させる形式の装置において、
少なくとも１つの信号パス（１，６，８，２０）が、移相器（７）若しくはクロックパルス適応化回路（１２，１３）を有しており、それによって、変調された信号（Ｓ１，Ｓ２）間の位相差が、ＮＲＺ形式で伝送されている場合には、少なくともほぼゼロに低減され、ＲＺ形式でビット期間の５０％よりも短いパルス期間で伝送されている場合には、位相差は少なくともほぼ１８０°に設定されるように構成されていることを特徴とする装置。
【請求項１０】
２つの変調信号のうちの１つ（Ｓ２）を他の変調信号（Ｓ１）から移相させるために、設定可能な遅延素子（７，７１）が１つの信号パス内に接続されている、請求項９記載の装置。
【請求項１１】
移相器として設定可能な遅延素子（７１）が、データ信号源の１つ（６）と、データ信号源（６）をクロック信号（ＴＳ）によってトリガしているクロック発生器（１１）との間に接続されている、請求項１０記載の装置。
【請求項１２】
同期化装置（９，１０，７）が設けられており、該同期化装置は、変調された信号（Ｓ１，Ｓ２）間の位相差を少なくともほぼゼロに制御している、請求項１０または１１記載の装置。
【請求項１３】
同期化装置（９，１９，２０，２１，２２，７）が、
スプリッタ（９）と、
光電変換器（１９）と、
乗算器（２０）と、
高域ろ波特性を有するフィルタ（２１）か若しくは帯域ろ波特性を有するフィルタ（２１）と、
制御装置（２２，７）とを有しており、
前記スプリッタ（９）は、偏光多重化信号（ＰＭＳ）の一部を測定信号（ＭＳ）としてタッピングしており、
前記光電変換器（１９）は、測定信号（ＭＳ）を電気的な測定信号（ＥＳ）に変換しており、
前記乗算器（２０）は、電気的な測定信号（ＥＳ）を自乗測定信号（ＥＳ２）に変換しており、
前記高域ろ波特性を有するフィルタ（２１）は、その下方の限界周波数が１/２データレートよりも上方にあり、あるいは前記帯域ろ波特性を有するフィルタ（２１）は、その中間周波数が、自乗測定信号（ＥＳ２）の供給されるデータレートに相応しており、
前記制御装置（２２，７）には、自乗測定信号（ＥＳ2）がフィルタによって制御信号として供給され、前記制御装置は、フィルタ出力信号の振幅を、２つの変調信号のうちの１つ（Ｓ２）を他の変調信号（Ｓ１）に対して時間的にシフトさせることによって最小化している、請求項１２記載の装置。
【請求項１４】
同期化装置（９，１９，２０，２１，２２，７）が、
スプリッタ（９）と、
光電変換器（１９）と、
乗算器（２０）と、
低域ろ波特性を有するフィルタ（２１）か若しくは帯域ろ波特性を有するフィルタ（２１）と、
制御装置（２２，７）とを有しており、
前記スプリッタ（９）は、偏光多重化信号（ＰＭＳ）の一部を測定信号（ＭＳ）としてタッピングしており、
前記光電変換器（１９）は、測定信号（ＭＳ）を電気的な測定信号（ＥＳ）に変換しており、
前記乗算器（２０）は、電気的な測定信号（ＥＳ）を自乗測定信号（ＥＳ２）に変換しており、
前記低域ろ波特性を有するフィルタ（２１）は、その下方の限界周波数が１/２データレートよりも上方にあり、あるいは前記帯域ろ波特性を有するフィルタ（２１）は、その中間周波数が、自乗測定信号（ＥＳ２）の供給される１/２データレートに相応しており、
前記制御装置（２２，７）には、自乗測定信号（ＥＳ2）がフィルタによって制御信号として供給され、前記制御装置は、フィルタ出力信号の振幅を、２つの変調信号のうちの１つ（Ｓ２）を他の変調信号（Ｓ１）に対して時間的にシフトさせることによって最小化している、請求項１２記載の装置。
【請求項１５】
光学的搬送波が、同じデータレートの２つのデータ信号源（５，６）によって変調され、
同期化装置が、
２つの測定結合器（１０，１１）と、
光電変換器（１２，１３）と、
ＥＸＯＲゲート（２３）と、
制御器（２２）とを有しており、
前記測定結合器（１０，１１）は、変調された信号（Ｓ１，Ｓ２）の各々から１つの測定信号（ＭＳ１，ＭＳ２）をタッピングしており、
前記光電変換器（１２，１３）は、測定信号（ＭＳ１，ＭＳ２）を電気的な測定信号（ＥＳ１，ＥＳ２）に変換しており、
前記ＥＸＯＲゲート（２３）には、前記電気的な測定信号（ＥＳ１，ＥＳ２）が供給されており、
前記制御器（２２）には、ＥＸＯＲゲート（２３）の出力信号がフィルタ（２４）を介して供給されており、さらに前記制御器（２２）は、高域ろ波特性若しくは帯域ろ波特性を有するフィルタのもとではフィルタリングされた出力信号を最小値に制御し、低域ろ波特性を有するフィルタのもとではフィルタリングされた出力信号を最大値に制御している、請求項１２記載の装置。
【請求項１６】
ＲＺ変調された信号（Ｓ１，Ｓ２）のもとでは、０.５ビットの伝播時間を有する遅延素子（１７）が光電変換器（１２，１３）の１つに直列に切換えられる、請求項１４または１５記載の装置。
【請求項１７】
同期化装置が、
第１の測定結合器（１０）と、
第１の位相検出器（３０，３１，３２，３３）と、
第２の測定結合器（１１）と、
第２の位相検出器（３５，３６，３７，３８）と、
制御器（３９）とを有しており、
前記第１の測定結合器（１０）は第１の信号パス内に配設され、第１の変調信号（Ｓ１）から第１の測定信号（ＭＳ１）をタッピングしており、
前記第１の位相検出器（３０，３１，３２，３３）は第１の信号パス内に配設され、前記第１の位相検出器には、第１の測定信号が第１の光電変換器（１２）を介して供給されており、さらに前記第１の位相検出器は、比較クロックパルス（ＴＳＨ）を生成するクロック発生器（３４）を制御しており、
前記第２の測定結合器（１１）は第２の信号パス内に配設され、第２の変調信号（Ｓ２）から第２の測定信号（ＭＳ２）をタッピングしており、
前記第２の位相検出器（３５，３６，３７，３８）には、比較クロックパルス（ＴＳＨ）と、第２の光電変換器（１３）を介して第２の測定信号（ＭＳ２）が供給されており、
前記制御器（３９）は、第２の位相検出器（３５，３６，３７，３８）によって制御されており、さらに前記制御器（３９）は、第２の信号パス内か又はクロック信号パス内に配設された遅延素子（７）を、２つの変調信号（Ｓ１，Ｓ２）が同じ位相位置を有するように制御している、請求項１２記載の装置。
【請求項１８】
クロック発生器（３４）として制御された遅延素子が設けられており、該遅延素子には、クロック発生器（１１）から形成されたクロック信号（ＴＳ）が供給されている、請求項１６記載の装置。
【請求項１９】
ＲＺ変調された信号の場合に、測定信号パス（２６，２７，２８）内に１/２ビットの時間遅延を有する遅延素子（２７）が挿入されている、請求項１７または１８記載の装置。
【発明の詳細な説明】
【技術分野】
【０００１】
本発明は、請求項１の上位概念による、信号劣化の低減のための方法及び装置、並びに、請求項９の上位概念に記載された装置に関する。
【背景技術】
【０００２】
光学的伝送システムでは、伝送容量の向上のために、偏光多重化方式が用いられている。この方式では２つの相互に有利な方式で直交偏光された信号が同じ波長で伝送される。
【０００３】
偏光モード分散（ＰＭＤ）の出現は、信号間のコヒーレントなクロストークにつながる。このクロストークは、既に僅かなＰＭＤ値のもとで偏光多重化信号のエラーのない伝送を不可能にする。それに対して偏光多重化なしの伝送システムでは、このＰＭＤ値がまだ許容可能な範囲にある。干渉は振幅変調のもとでも（マルチステージを含む）、角度変調のもとでも顕著に現れる。
【０００４】
欧州特許出願公開第1202485号明細書では、信号が２つの部分信号に分割され、それらの分割信号が、互いに垂直な偏光レベルを用いて再び時分割多重化信号に結合される、偏光多重化信号の伝送方法が開示されている。時分割多重方式によれば、相互の信号ノイズが回避され、データレートが各信号において半減する。しかしながら要求された伝送容量の倍加は達成されない。
【０００５】
本発明の課題は、偏光多重化信号のもとで伝送容量の制限を伴わせることなく信号劣化を低減させることである。
【０００６】
前記課題は、請求項１の特徴部分に記載された本発明による方法によって解決される。適切な装置は、請求項１１に記載されている。本発明の別の有利な実施例は従属請求項に記載されている。
【０００７】
本発明の核心は、論理状態の評価に影響を与えることなく、信号に起因する障害（干渉）成分が他の信号の非臨界領域内に入るように時間的に配置構成させることからなる。なぜならこの障害成分は、ビット境界（マルチフェーズ変調の場合には、変調区間の境界とも称する）に由来し、振幅変調のケースでは信号エッジによって引き起されるので、伝送すべき２つの信号は次のように同期化させる必要がある。すなわちそれらのビット境界ないし信号エッジが臨界的な評価範囲にないように、つまりビット中央およびその近傍領域にないようにすべきである。それ故に非ゼロ復帰（ＮＲＺ）信号の場合には、ビット境界が一致されなければならない。短いパルスのゼロ復帰（ＲＺ）信号の場合には、このことが１８０°の位相シフトによって達成される。このことは角度変調された信号にも相応に当て嵌まる。
【０００８】
２つの信号が、異なるデータ源から供給されるケースでは、同期化とクロックパルスの適応化が必要である。
【０００９】
本発明の方法によれば、ＰＭＤに対する許容偏差が２倍以上となり、このことは再生器なしでの最大限可能な伝送区間（リンク）の数を４倍以上高めることにつながる。
【００１０】
このことは、偏光多重化をマルチステージの位相変調と組み合わせる伝送方式も可能にする。例えば４相変調の適用下では、４倍のデータレートが可能である。似たような利点は、ダブルバイナリエンコーディングにおいても得られる。
【実施例】
【００１１】
次に本発明を図面に基づいて以下の明細書で詳細に説明する。この場合、
図１は、同期化のための電気的な移相器を備えた送信装置を示した図であり、
図２は、同期偏光信号を生成する送信装置を示した図であり、
図３は、１つのデータ信号を２つの並列な偏光された送信信号に置換えるための送信装置を示した図であり、
図４は、データ多重化信号を用いる制御部を備えた送信装置を示した図であり、
図５は、制御信号生成のための比較装置を備えた送信装置を示した図であり、
図６は、対応する時間ダイヤグラムを示した図であり、
図７は、ＲＺ信号用の送信装置を示した図であり、
図８は、対応する時間ダイヤグラムを示した図であり、
図９は、２つの位相検出器を備えた送信装置を示した図であり、
図１０は、対応する時間ダイヤグラムを示した図である。
【００１２】
図１には、ＰＭＤ信号の伝送のための送信装置が示されている。当該実施例は、線形の偏光された光から出発しており、理解しやすくするために振幅変調が取り入れられている。しかしながら他の（直交）偏光方式や他の変調方式ももちろん可能である。
【００１３】
コヒーレントな光源（レーザー）１は、レーザー信号ＬＳを生成する。この信号は、光学的な偏光ビームスプリッタ２において２つの直交成分、すなわち搬送波信号ＯＴ１とＯＴ２に分割される。これらの搬送波信号は、マッハ・ツェンダー変調器３ないし４に供給される。変調器３は、第１のデータ信号ＤＳ１を生成する第１の電気的なデータソース５によって駆動制御されている。第２の電気的なデータソース６は、第２のデータ信号ＤＳ２を生成し、これを電気的な遅延素子（位相器）７を介して第２の変調器４に供給する。変調された信号Ｓ１とＳ２は、偏光ビームコンバイナー８（これは以下では例えば３ｄＢ結合器などの信号の結合に適したあらゆる結合器を含むものとする）を介して結合され、そのようにして得られた偏光多重化信号ＰＭＳが出力側Ａから送出される。ここでは２つのデータソースが相互に同期化されていることを前提に、ただ次のような同期化装置７,１０が必要となるだけである。すなわち第１のデータ信号ＤＳ１と第２のデータ信号ＤＳ２の間の最適な位相シフトを考慮する同期化装置である。この最適な位相シフトは、設定可能な電気的遅延素子７として実現されている位相器によって行われる。基本的にはこの設定可能な移相器は、信号Ｓ１又はＳ２の信号パスの任意の箇所に配設可能である（クロックパルス供給も含む）。
【００１４】
有利な形式では、遅延素子７は制御装置１０によって制御される。該制御装置１０には偏光多重化信号ＰＭＳから分岐された測定信号ＭＳが供給される。ここでは任意の制御基準が可能であり、例えばエラーレート又は信号の高調波成分が制御に利用される。対称的な制御領域が得られるようにするために、さらなる（電気的な）遅延素子７２が、例えば第１のデータソース５と第１の変調器３の間に挿入されてもよい。基本的には、電気的な遅延素子７は、制御可能な光学的遅延素子７１によって置換えることも可能である。この光学的遅延素子７１は、例えば第２の変調器４の後に挿入される。
【００１５】
データソースがクロック発生器１１によってトリガされるならば、等価的な解決手段は、遅延素子のクロック信号線路内への挿入からなる。
【００１６】
ＮＲＺ信号のケースでは、電気的な遅延素子７が次のように設定される。すなわち変調区間の境界、振幅変調の場合では伝送すべき信号Ｓ１およびＳ２のエッジが、同じ時点に現れるように設定され（角度変調の場合では周波数若しくは位相の再キーイング時点、例えばビット境界）、それにより、発生した障害成分が評価領域（大抵はビット中央の評価ないしサンプリング時点）からできるだけ遠ざかるようになる。
【００１７】
短いパルスを有するＲＺ信号のケースでは、送信すべき信号Ｓ１，Ｓ２の１８０°位相シフトが設定される。それによりそのつどの他の信号の障害的エッジは、評価時点から最大限離れて存在する。但しその間隔は、ビット期間の半分よりも短い。
【００１８】
図２には、独立同期信号の伝送のための装置が示されている。２つの独立同期データ信号ＰＳ１とＰＳ２は、まずメモリ１２ないし１４内に書き込まれ、それらのメモリからクロック信号ＴＳ１ないしＴＳ２によって呼出される。この２つのクロック信号は共に唯一のクロック発生器１１によって生成される。独立同期信号のデータレートと、クロック信号ＴＳ１，ＴＳ２の間の適応化は、クロックパルス適応化回路１３ないし１５によって行われる。データレートにおける違いは、ストップ過程（パディングルーチン）によって補償される。ＮＲＺ信号のもとでは、クロック信号ＴＳ１及びＴＳ２は、同じ位相位置を有している。ＲＺ信号のもとでは、所望の１８０°の位相シフトを達成するために、デューティー比１：１の反転クロック信号が用いられる。対称性の構造のもとでは、位相制御ないし遅延素子が省略可能である。
【００１９】
図３には、データ信号ＤＳがデマルチプレクサによって１/２データレートの２つのデータ信号ＤＳ１及びＤＳ２に分割される装置が示されている。これらのデータ信号を用いてレーザー信号ＬＳの直交成分ＯＴ１，ＯＴ２が変調され、変調された信号Ｓ１ないしＳ２が再び偏光結合器９において偏光多重化信号ＰＭＳに結合される。５０％以上のデューティ比を有するＲＺ信号である場合には、移相器、遅延素子７がデータ信号の遅延のために挿入され得る。ＮＲＺ信号の場合には、変調器にバッファメモリが前置接続され、変調が同期モードで行われる。
【００２０】
本発明による方法で重要なことは、相互妨害ないし相互干渉の最小化のための、同じデータレートを有する直交偏光送信信号間のできるだけ最適な位相シフトである。
【００２１】
図４には、制御が記載されている。２つのデータ信号ソース５および６は、共通のクロック発生器１１によってクロック制御されている。クロック信号ＴＳは、固定の遅延素子７１ないしは設定可能な遅延素子７を介してそれぞれのデータ信号ソースに供給されている。これらのデータ信号ソースは、それぞれ１つのデータ信号ＤＳ１ないしＤＳ２を送出し、それらの信号を用いて、レーザー１から生成された搬送波信号が変調器３，４において振幅変調される。当該の実施例では、２つの偏光調整器１７，１８が設けられており、それらは変調された信号を相互に直交する２つの偏光面に回転させる。これらの直交する信号は、加算器８において統合され、偏光多重化信号ＰＭＳとして送信される。この信号からは、測定結合器９を介して測定信号ＭＳが分岐され、フォトダイオード１９において電気信号ＥＳに変換される。この信号は、乗算器２０において自乗され、それが自乗測定信号ＥＳ２としてフィルタ２１、有利には帯域フィルタに供給される。信号Ｓ１，Ｓ２のビットエッジが同期化されている場合には、電力はデータ信号のデータレートに相応する周波数領域（例えば１０Ｇｂｉｔ／ｓのデータ転送レートでは１０ＧＨｚの周波数領域）において最小となる。フィルタの出力側に接続される制御器２２は、この最小値に達するまで、設定可能な遅延素子７を変更する。設定可能な遅延素子７は、当該装置の下方の第２の信号パス７，６，４，１８，８の任意の箇所に接続可能である。この制御器は図１に示されている装置にも装着可能である。
【００２２】
電気的な測定信号ＥＳのさらなる平方によって（これは最初にフォトダイオード１９によって行われる）より良好な制御基準が得られる。基本的に言えることは、基本周波数が最大値を達成すべく制御されるか、障害的周波数成分が最小値を達成すべく制御される（このことは一般的にはわずかばかりフラットな経過を供給する）。
【００２３】
図５は制御のさらなる変化例を示している。図５の実施例は、レーザー１から生成された光学的搬送波が偏光スプリッタ９を介して供給されている点でのみ図４の実施例と異なっている。これにより、偏光調整器が省略できる。変調された２つの偏光信号Ｓ１，Ｓ２からは、測定結合器１０及び１１を介してそれぞれ１つの測定信号ＭＳ１，ＭＳ２分岐され光電変換器１２，１３（復調器）に供給される。電気的な信号は、相互にＥＸＯＲゲートないしはＥＸＮＯＲゲートにおいて相互に論理比較される。信号Ｓ１，Ｓ２が（図６の時間ダイヤグラムに示されているように）位相差なしで（φ＝０）同期化されているならば、ＥＸＯＲゲートの出力信号ＥＸは、最大でデータレートの１/２の周波数を有する。しかしながら信号Ｓ１及びＳ２の間で位相差が例えばφ＝９０°になっている場合（これも図６の時間ダイヤグラムに示されている）には、出力側周波数は倍になる。フィルタ２４の実施構成に応じて、制御器２２は、その入力信号の１/２のデータ転送レートの最大値を達成すべく制御されるか、遅延素子７の設定によってその入力信号の最小値を達成すべくより高いデータ転送レートを用いて制御される。
【００２４】
図７には、ＲＺ信号に適した変化実施例が示されている。偏光信号の理想的な位相位置は、短いデューティーサイクルのもとで、１８０°の位相差を有している場合に得られる。遅延素子１７によって、これらの信号の一方が１/２ビットだけ遅延され、それによって電気的な測定信号ＥＳ１及びＥＳ２は図８の時間ダイヤグラムに示されているように、理想的なケースにおいて何ら位相差を持たなくなる。パルスは例えばＡＮＤゲート１８によって相互に比較され、ローパスフィルタ若しくはバンドパスフィルタを介して制御器２２に供給される。この制御器２２は、遅延素子７を、最大振幅の信号が生成されるように制御する。それに対して２０°の位相偏差のもとでは、狭帯域のパルスが生成されるだけである。それ故に制御によってパルスＥＳ１とＥＳ２が時間的に常に重なることが保証されなければならない。
【００２５】
図９には、２つの位相検出器３０，３１，３２，３３と３５，３６，３７，３７を含んださらなる同期装置が示されている。この装置は、それぞれ２つのフリップフロップ３２，３３ないし３５、３６と、２つのＥＸＯＲゲート３２，３３ないし３７，３８を有するホグ位相検出器（Hogge-phase detector）として実施されている。第１の（上方の）信号パス５，３，８に割当てられ、その入力信号は第１の測定結合器１０とフォトダイオード１２を介して供給されている、第１の位相検出器は、入力信号と、制御可能な発信器３４から生成されたクロック信号ＴＳＨとの間で、所定の位相関係が成り立つことを保証している。この場合位相検出器の入力信号は、クロック信号ＴＳＨのビット中央でサンプリングされ、フリップフロップ３０にバッファされる。同じ周波数のクロック信号ＴＳは既にクロック発生器１１によって生成されるので、発振器の代わりに、設定可能な遅延素子が用いられてもよい。これによって当該回路は著しく簡単に実現可能となる。
【００２６】
対称的な構成のもとで、第２の位相検出器３５，３６，３７，３８（これの入力信号は第２の結合器１１とフォトダイオード１３を介して供給される）と、制御器３９を介して設定可能な遅延素子７は、第２の位相検出器の入力信号も中央でサンプリングされるように、つまり２つの信号Ｓ１，Ｓ２が同期するように設定される。図１０は、このケースを時間ダイヤグラムで表わしている。
【００２７】
ＲＺ信号のもとでは再び遅延素子２７が、変調された信号間で１８０°の位相差を達成すべく位相検出器の１つに前置接続される。
【００２８】
振幅変調の代わりに角度変調が利用されるならば、信号がまず振幅変調された信号に置換されるケースにおいて、同じ回路が利用できる。
【図面の簡単な説明】
【００２９】
【図１】同期化のための電気的な移相器を備えた送信装置を示した図
【図２】同期偏光信号を生成する送信装置を示した図時間ダイヤグラムを示した図
【図３】１つのデータ信号を２つの並列な偏光された送信信号に置換えるための送信装置を示した図
【図４】データ多重化信号を用いる制御部を備えた送信装置を示した図
【図５】制御信号生成のための比較装置を備えた送信装置を示した図
【図６】対応する時間ダイヤグラムを示した図
【図７】ＲＺ信号用の送信装置を示した図
【図８】対応する時間ダイヤグラムを示した図
【図９】２つの位相検出器を備えた送信装置を示した図
【図１０】対応する時間ダイヤグラムを示した図
【図１】
2005531169.tif 000003
【図２】
2005531169.tif 000004
【図３】
2005531169.tif 000005
【図４】
2005531169.tif 000006
【図５】
2005531169.tif 000007
【図６】
2005531169.tif 000008
【図７】
2005531169.tif 000009
【図８】
2005531169.tif 000010
【図９】
2005531169.tif 000011
【図１０】
2005531169.tif 000012
【手続補正書】
【提出日】平成16年2月13日(2004.2.13)
【手続補正１】
【補正対象書類名】明細書
【補正対象項目名】全文
【補正方法】変更
【補正の内容】
【発明の詳細な説明】
【技術分野】
【０００１】
本発明は、請求項１の上位概念による、信号劣化の低減のための方法及び装置、並びに、請求項９の上位概念に記載された装置に関する。
【背景技術】
【０００２】
光学的伝送システムでは、伝送容量の向上のために、偏光多重化方式が用いられている。この方式では２つの相互に有利な方式で直交偏光された信号が同じ波長で伝送される。
【０００３】
偏光モード分散（ＰＭＤ）の出現は、信号間のコヒーレントなクロストークにつながる。このクロストークは、既に僅かなＰＭＤ値のもとで偏光多重化信号のエラーのない伝送を不可能にする。それに対して偏光多重化なしの伝送システムでは、このＰＭＤ値がまだ許容可能な範囲にある。干渉は振幅変調のもとでも（マルチステージを含む）、角度変調のもとでも顕著に現れる。
【０００４】
欧州特許出願公開第1202485号明細書では、信号が２つの部分信号に分割され、それらの分割信号が、互いに垂直な偏光レベルを用いて再び時分割多重化信号に統合される、偏光多重化信号の伝送方法が開示されている。時分割多重方式によれば、相互の信号ノイズが回避され、データレートが各信号において半減する。しかしながら要求された伝送容量の倍加は達成されない。
【０００５】
本発明の課題は、偏光多重化信号のもとで伝送容量の制限を伴わせることなく信号劣化を低減させることである。
【０００６】
前記課題は、請求項１の特徴部分に記載された本発明による方法によって解決される。適切な装置は、請求項１１に記載されている。本発明の別の有利な実施例は従属請求項に記載されている。
【０００７】
本発明の核心は、論理状態の評価に影響を与えることなく、信号に起因する障害（干渉）成分が他の信号の非臨界領域内に入るように時間的に配置構成させることからなる。なぜならこの障害成分は、ビット境界（マルチフェーズ変調の場合には、変調区間の境界とも称する）に由来し、振幅変調のケースでは信号エッジによって引き起されるので、伝送すべき２つの信号は次のように同期化させる必要がある。すなわちそれらのビット境界ないし信号エッジが臨界的な評価範囲にないように、つまりビット中央およびその近傍領域にないようにすべきである。それ故に非ゼロ復帰（ＮＲＺ）信号の場合には、ビット境界が一致されなければならない。短いパルスのゼロ復帰（ＲＺ）信号の場合には、このことが１８０°の位相シフトによって達成される。このことは角度変調された信号にも相応に当て嵌まる。
【０００８】
２つの信号が、異なるデータ源から供給されるケースでは、同期化とクロックパルスの適応化が必要である。
【０００９】
本発明の方法によれば、ＰＭＤに対する許容偏差が２倍以上となり、このことは再生器なしでの最大限可能な伝送区間（リンク）の数を４倍以上高めることにつながる。
【００１０】
このことは、偏光多重化をマルチステージの位相変調と組み合わせる伝送方式も可能にする。例えば４相変調の適用下では、４倍のデータレートが可能である。似たような利点は、ダブルバイナリエンコーディングにおいても得られる。
【実施例】
【００１１】
次に本発明を図面に基づいて以下の明細書で詳細に説明する。この場合、
図１は、同期化のための電気的な移相器を備えた送信装置を示した図であり、
図２は、同期偏光信号を生成する送信装置を示した図であり、
図３は、１つのデータ信号を２つの並列な偏光された送信信号に置換えるための送信装置を示した図であり、
図４は、データ多重化信号を用いる制御部を備えた送信装置を示した図であり、
図５は、制御信号生成のための比較装置を備えた送信装置を示した図であり、
図６は、対応する時間ダイヤグラムを示した図であり、
図７は、２つの位相検出器を備えた送信装置を示した図であり、
図８は、対応する時間ダイヤグラムを示した図である。
【００１２】
図１には、ＰＭＤ信号の伝送のための送信装置が示されている。当該実施例は、線形の偏光された光から出発しており、理解しやすくするために振幅変調が取り入れられている。しかしながら他の（直交）偏光方式や他の変調方式ももちろん可能である。
【００１３】
コヒーレントな光源（レーザー）１は、レーザー信号ＬＳを生成する。この信号は、光学的な偏光ビームスプリッタ２において２つの直交成分、すなわち搬送波信号ＯＴ１とＯＴ２に分割される。これらの搬送波信号は、マッハ・ツェンダー変調器３ないし４に供給される。変調器３は、第１のデータ信号ＤＳ１を生成する第１の電気的なデータソース５によって駆動制御されている。第２の電気的なデータソース６は、第２のデータ信号ＤＳ２を生成し、これを電気的な遅延素子（移相器）７を介して第２の変調器４に供給する。変調された信号Ｓ１とＳ２は、偏光ビームコンバイナー８（これは以下では例えば３ｄＢ結合器などの信号の結合に適したあらゆる結合器を含むものとする）を介して統合され、そのようにして得られた偏光多重化信号ＰＭＳが出力側Ａから送出される。ここでは２つのデータソースが相互に同期化されていることを前提に、ただ次のような同期化装置７,７０が必要となるだけである。すなわち第１のデータ信号ＤＳ１と第２のデータ信号ＤＳ２の間の最適な位相位置を考慮する同期化装置である。この最適な位相位置は、設定可能な電気的遅延素子７として実現されている位相器によって行われる。基本的にはこの設定可能な移相器は、信号Ｓ１又はＳ２の信号パスの任意の箇所に配設可能である（クロックパルス供給も含む）。
【００１４】
有利な形式では、遅延素子７は制御装置１０によって制御される。該制御装置１０には偏光多重化信号ＰＭＳから分岐された測定信号ＭＳが供給される。ここでは任意の制御基準が可能であり、例えばエラーレート又は信号の高調波成分が制御に利用される。対称的な制御領域が得られるようにするために、さらなる（電気的な）遅延素子７２が、例えば第１のデータソース５と第１の変調器３の間に挿入されてもよい。基本的には、電気的な遅延素子７は、制御可能な光学的遅延素子７１によって置換えることも可能である。この光学的遅延素子７１は、例えば第２の変調器４の後に挿入される。
【００１５】
データソースがクロック発生器１１によってトリガされるならば、等価的な解決手段は、遅延素子のクロック信号線路内への挿入からなる。
【００１６】
ＮＲＺ信号のケースでは、電気的な遅延素子７が次のように設定される。すなわち変調区間の境界、振幅変調の場合では伝送すべき信号Ｓ１およびＳ２のエッジが、同じ時点に現れるように設定され（角度変調の場合では周波数若しくは位相の再キーイング時点、例えばビット境界）、それにより、発生した障害成分が評価領域（大抵はビット中央の評価ないしサンプリング時点）からできるだけ遠ざかるようになる。
【００１７】
図２には、独立同期信号の伝送のための装置が示されている。２つの独立同期データ信号ＰＳ１とＰＳ２は、まずメモリ１２ないし１４内に書き込まれ、それらのメモリからクロック信号ＴＳ１ないしＴＳ２によって呼出される。この２つのクロック信号は共に唯一のクロック発生器１１によって生成される。独立同期信号のデータレートと、クロック信号ＴＳ１，ＴＳ２の間の適応化は、クロックパルス適応化回路１３ないし１５によって行われる。データレートにおける違いは、ストップ過程（パディングルーチン）によって補償される。ＮＲＺ信号のもとでは、クロック信号ＴＳ１及びＴＳ２は、同じ位相位置を有している。
【００１８】
図３には、データ信号ＤＳがデマルチプレクサによって１/２データレートの２つのデータ信号ＤＳ１及びＤＳ２に分割される装置が示されている。これらのデータ信号を用いてレーザー信号ＬＳの直交成分ＯＴ１，ＯＴ２が変調され、変調された信号Ｓ１ないしＳ２が再び偏光結合器９において偏光多重化信号ＰＭＳに統合される。ＮＲＺ信号の場合には、変調器にバッファメモリが前置接続され、変調が同期モードで行われる。
【００１９】
本発明による方法で重要なことは、相互妨害ないし相互干渉の最小化のための、同じデータレートを有する直交偏光送信信号間のできるだけ最適な位相位置である。
【００２０】
図４には、制御が記載されている。２つのデータ信号ソース５および６は、共通のクロック発生器１１によってクロック制御されている。クロック信号ＴＳは、固定の遅延素子７１ないしは設定可能な遅延素子７を介してそれぞれのデータ信号ソースに供給されている。これらのデータ信号ソースは、それぞれ１つのデータ信号ＤＳ１ないしＤＳ２を送出し、それらの信号を用いて、レーザー１から生成された搬送波信号が変調器３，４において振幅変調される。当該の実施例では、２つの偏光調整器１７，１８が設けられており、それらは変調された信号を相互に直交する２つの偏光面に回転させる。これらの直交する信号は、加算器８において統合され、偏光多重化信号ＰＭＳとして送信される。この信号からは、測定結合器９を介して測定信号ＭＳが分岐され、フォトダイオード１９において電気信号ＥＳに変換される。この信号は、乗算器２０において自乗され、それが自乗測定信号ＥＳ２としてフィルタ２１、有利には帯域フィルタに供給される。信号Ｓ１，Ｓ２のビットエッジが同期化されている場合には、電力はデータ信号のデータレートに相応する周波数領域（例えば１０Ｇｂｉｔ／ｓのデータ転送レートでは１０ＧＨｚの周波数領域）において最小となる。フィルタの出力側に接続される制御器２２は、この最小値に達するまで、設定可能な遅延素子７を変更する。設定可能な遅延素子７は、当該装置の下方の第２の信号パス７，６，４，１８，８の任意の箇所に接続可能である。この制御器は図１に示されている装置にも装着可能である。
【００２１】
電気的な測定信号ＥＳのさらなる平方によって（これは最初にフォトダイオード１９によって行われる）より良好な制御基準が得られる。基本的に言えることは、基本周波数が最大値を達成すべく制御されるか、障害的周波数成分が最小値を達成すべく制御される（このことは一般的にはわずかばかりフラットな経過を供給する）。
【００２２】
図５は制御のさらなる変化例を示している。図５の実施例は、レーザー１から生成された光学的搬送波が偏光スプリッタ９を介して供給されている点でのみ図４の実施例と異なっている。これにより、偏光調整器が省略できる。変調された２つの偏光信号Ｓ１，Ｓ２からは、測定結合器１０及び１１を介してそれぞれ１つの測定信号ＭＳ１，ＭＳ２分岐され光電変換器１２，１３（復調器）に供給される。電気的な信号は、相互にＥＸＯＲゲートないしはＥＸＮＯＲゲートにおいて相互に論理比較される。信号Ｓ１，Ｓ２が（図６の時間ダイヤグラムに示されているように）位相差なしで（φ＝０）同期化されているならば、ＥＸＯＲゲートの出力信号ＥＸは、最大でデータレートの１/２の周波数を有する。しかしながら信号Ｓ１及びＳ２の間で位相差が例えばφ＝９０°になっている場合（これも図６の時間ダイヤグラムに示されている）には、出力側周波数は倍になる。フィルタ２４の実施構成に応じて、制御器２２は、その入力信号の１/２のデータ転送レートの最大値を達成すべく制御されるか、遅延素子７の設定によってその入力信号の最小値を達成すべくより高いデータ転送レートを用いて制御される。
【００２３】
図７には、この装置は、それぞれ２つのフリップフロップ３２，３３ないし３５、３６と、２つのＥＸＯＲゲート３２，３３ないし３７，３８を有するホグ位相検出器（Hogge-phase detector）として実施されている。第１の（上方の）信号パス５，３，８に割当てられ、その入力信号は第１の測定結合器１０とフォトダイオード１２を介して供給されている、第１の位相検出器は、入力信号と、制御可能な発信器３４から生成されたクロック信号ＴＳＨとの間で、所定の位相関係が成り立つことを保証している。この場合位相検出器の入力信号は、クロック信号ＴＳＨのビット中央でサンプリングされ、フリップフロップ３０にバッファされる。同じ周波数のクロック信号ＴＳは既にクロック発生器１１によって生成されるので、発振器の代わりに、設定可能な遅延素子が用いられてもよい。これによって当該回路は著しく簡単に実現可能となる。
【００２４】
対称的な構成のもとで、第２の位相検出器３５，３６，３７，３８（これの入力信号は第２の測定結合器１１とフォトダイオード１３を介して供給される）と、制御器３９を介して設定可能な遅延素子７は、第２の位相検出器の入力信号も中央でサンプリングされるように、つまり２つの信号Ｓ１，Ｓ２が同期するように設定される。図８は、このケースを時間ダイヤグラムで表わしている。
【００２５】
振幅変調の代わりに角度変調が利用されるならば、信号がまず振幅変調された信号に置換されるケースにおいて、同じ回路が利用できる。
【図面の簡単な説明】
【００２６】
【図１】同期化のための電気的な移相器を備えた送信装置を示した図
【図２】同期偏光信号を生成する送信装置を示した図
【図３】１つのデータ信号を２つの並列な偏光された送信信号に置換えるための送信装置を示した図
【図４】データ多重化信号を用いる制御部を備えた送信装置を示した図
【図５】制御信号生成のための比較装置を備えた送信装置を示した図
【図６】対応する時間ダイヤグラムを示した図
【図７】２つの位相検出器を備えた送信装置を示した図
【図８】対応する時間ダイヤグラムを示した図
【手続補正２】
【補正対象書類名】特許請求の範囲
【補正対象項目名】全文
【補正方法】変更
【補正の内容】
【特許請求の範囲】
【請求項１】
偏光多重化信号（ＰＭＳ）の信号劣化を低減するための方法であって、
前記偏光多重化信号は、変調された第１の光学的信号（Ｓ１）と、同じデータレートで変調され他の偏光を有する第２の光学的信号（Ｓ２）との結合によって形成される形式の方法において、
ＮＲＺ変調信号（Ｓ１，Ｓ２）の伝送の場合に、第１の光学的信号（Ｓ１）と第２の光学的信号（Ｓ２）が少なくともほぼゼロの位相差で伝送され、それにより第１の信号（Ｓ１）と第２の信号（Ｓ２）の変調区間境界がそれぞれ他の信号（Ｓ２，Ｓ１）の評価時点から最大限遠ざかって存在するようにしたことを特徴とする方法。
【請求項２】
前記第１の信号（Ｓ１）と第２の信号（Ｓ２）の間で、少なくともほぼゼロの位相差が２つの信号（Ｓ１，Ｓ２）間で設定されるか又は形成される、請求項１記載の方法。
【請求項３】
第１の信号（Ｓ１）は、第１のデータ信号（ＤＳ１）と共に第１の光学的搬送波信号（ＯＴ１）の変調によって形成され、第２の信号（Ｓ２）は、第２のデータ信号（ＤＳ２）と共に他の偏光を有した第２の光学的搬送波信号（ＯＴ２）の変調によって形成され、前記２つのデータ信号（ＤＳ１，ＤＳ２）は相互に同期化される、請求項１または２記載の方法。
【請求項４】
第１の信号（Ｓ１）は、第１のデータ信号（ＤＳ１）と共に第１の光学的搬送波信号（ＯＴ１）の変調によって形成され、第２の信号（Ｓ２）は、第２のデータ信号（ＤＳ２）と共に他の偏光を有した第２の光学的搬送波信号（ＯＴ２）の変調によって形成され、
前記第１のデータ信号（ＤＳ１）と第２のデータ信号（ＤＳ２）は、バッファされ、唯１つのクロック発生器（１１）によって導出されたクロック信号（ＴＳ１，ＴＳ２）を用いて同期化され搬送波信号（０Ｔ１，ＯＴ２）に変調される、請求項１または２記載の方法。
【請求項５】
第１のデータ信号（ＤＳ１）と第２のデータ信号（ＤＳ２）がデータ信号（ＤＳ）の逆多重化によって形成され、第１の信号（Ｓ１）は、第１のデータ信号（ＤＳ１）と共に第１の光学的搬送波信号（ＯＴ１）の変調によって形成され、第２の信号（Ｓ２）は、第２のデータ信号（ＤＳ２）と共に他の偏光を有し第２の光学的搬送波信号（ＯＴ２）の変調によって形成される、請求項１から４いずれか１項記載の方法。
【請求項６】
第１の信号（Ｓ１）は、第１のデータ信号（ＤＳ１）と共に２段若しくは多段の位相変調を用いた第１の光学的搬送波信号（ＯＴ１）の変調によって形成され、第２の信号（Ｓ２）は、第２のデータ信号（ＤＳ２）と共に他の偏光を有し二段若しくは多段の位相変調を用いた第２の光学的搬送波信号（ＯＴ２）の変調によって形成される、請求項１または２記載の方法。
【請求項７】
光学的偏光多重化システムにおける信号劣化低減のための装置であって、
それぞれ１つの変調器（３，４）を備えた２つの信号パス（５，３，８；６，４，８）と、
同じデータレートの２つのデータ信号源（５、６）を有しており、それらはそれぞれ光学的搬送波で変調され、
さらに結合器（８）を有しており、該結合器（８）は、変調された信号（Ｓ１，Ｓ２）を１つの偏光多重化信号（ＰＭＳ）に結合させる形式の装置において、
少なくとも１つの信号パス（１，６，８，２０）が、移相器（７）若しくはクロックパルス適応化回路（１３，１５）を有しており、それによって、変調若しくはＮＲＺ形式で伝送されている信号（Ｓ１，Ｓ２）間の位相差が、少なくともほぼゼロに低減されるように構成されていることを特徴とする装置。
【請求項８】
２つの変調信号のうちの１つ（Ｓ２）を他の変調信号（Ｓ１）から移相させるために、設定可能な遅延素子（７，７１）が１つの信号パス内に接続されている、請求項７記載の装置。
【請求項９】
移相器として設定可能な遅延素子（７１）が、データ信号源の１つ（６）と、データ信号源（６）をクロック信号（ＴＳ）によってトリガしているクロック発生器（１１）との間に接続されている、請求項８記載の装置。
【請求項１０】
同期化装置（９，１０，７）が設けられており、該同期化装置は、変調された信号（Ｓ１，Ｓ２）間の位相差を少なくともほぼゼロに制御している、請求項８または９記載の装置。
【請求項１１】
同期化装置（９，１９，２０，２１，２２，７）が、
スプリッタ（９）と、
光電変換器（１９）と、
乗算器（２０）と、
高域ろ波特性を有するフィルタ（２１）か若しくは帯域ろ波特性を有するフィルタ（２１）と、
制御装置（２２，７）とを有しており、
前記スプリッタ（９）は、偏光多重化信号（ＰＭＳ）の一部を測定信号（ＭＳ）としてタッピングしており、
前記光電変換器（１９）は、前記測定信号（ＭＳ）を電気的な測定信号（ＥＳ）に変換しており、
前記乗算器（２０）は、前記電気的な測定信号（ＥＳ）を自乗測定信号（ＥＳ２）に変換しており、
前記高域ろ波特性を有するフィルタ（２１）は、その下方の限界周波数が１/２データレートよりも上方にあり、あるいは前記帯域ろ波特性を有するフィルタ（２１）は、その中間周波数が、自乗測定信号（ＥＳ２）の供給されるデータレートに相応しており、
前記制御装置（２２，７）には、自乗測定信号（ＥＳ2）がフィルタによって制御信号として供給され、前記制御装置は、フィルタ出力信号の振幅を、２つの変調信号のうちの１つ（Ｓ２）を他の変調信号（Ｓ１）に対して時間的にシフトさせることによって最小化している、請求項１０記載の装置。
【請求項１２】
同期化装置（９，１９，２０，２１，２２，７）が、
スプリッタ（９）と、
光電変換器（１９）と、
乗算器（２０）と、
低域ろ波特性を有するフィルタ（２１）か若しくは帯域ろ波特性を有するフィルタ（２１）と、
制御装置（２２，７）とを有しており、
前記スプリッタ（９）は、偏光多重化信号（ＰＭＳ）の一部を測定信号（ＭＳ）としてタッピングしており、
前記光電変換器（１９）は、前記測定信号（ＭＳ）を電気的な測定信号（ＥＳ）に変換しており、
前記乗算器（２０）は、前記電気的な測定信号（ＥＳ）を自乗測定信号（ＥＳ２）に変換しており、
前記低域ろ波特性を有するフィルタ（２１）は、その下方の限界周波数が１/２データレートよりも上方にあり、あるいは前記帯域ろ波特性を有するフィルタ（２１）は、その中間周波数が、自乗測定信号（ＥＳ２）の供給される１/２データレートに相応しており、
前記制御装置（２２，７）には、自乗測定信号（ＥＳ2）がフィルタによって制御信号として供給され、前記制御装置は、フィルタ出力信号の振幅を、２つの変調信号のうちの１つ（Ｓ２）を他の変調信号（Ｓ１）に対して時間的にシフトさせることによって最小化している、請求項１０記載の装置。
【請求項１３】
光学的搬送波が、同じデータレートの２つのデータ信号源（５，６）によって変調され、
同期化装置が、
２つの測定結合器（１０，１１）と、
光電変換器（１２，１３）と、
ＥＸＯＲゲート（２３）と、
制御器（２２）とを有しており、
前記測定結合器（１０，１１）は、変調された信号（Ｓ１，Ｓ２）の各々から１つの測定信号（ＭＳ１，ＭＳ２）をタッピングしており、
前記光電変換器（１２，１３）は、測定信号（ＭＳ１，ＭＳ２）を電気的な測定信号（ＥＳ１，ＥＳ２）に変換しており、
前記ＥＸＯＲゲート（２３）には、前記電気的な測定信号（ＥＳ１，ＥＳ２）が供給されており、
前記制御器（２２）には、ＥＸＯＲゲート（２３）の出力信号がフィルタ（２４）を介して供給されており、さらに前記制御器（２２）は、高域ろ波特性若しくは帯域ろ波特性を有するフィルタのもとではフィルタリングされた出力信号を最小値に制御し、低域ろ波特性を有するフィルタのもとではフィルタリングされた出力信号を最大値に制御している、請求項１０記載の装置。
【請求項１４】
同期化装置が、
第１の測定結合器（１０）と、
第１の位相検出器（３０，３１，３２，３３）と、
第２の測定結合器（１１）と、
第２の位相検出器（３５，３６，３７，３８）と、
制御器（３９）とを有しており、
前記第１の測定結合器（１０）は第１の信号パス内に配設され、第１の変調信号（Ｓ１）から第１の測定信号（ＭＳ１）をタッピングしており、
前記第１の位相検出器（３０，３１，３２，３３）は第１の信号パス内に配設され、前記第１の位相検出器には、第１の測定信号が第１の光電変換器（１２）を介して供給されており、さらに前記第１の位相検出器は、比較クロックパルス（ＴＳＨ）を生成するクロック発生器（３４）を制御しており、
前記第２の測定結合器（１１）は第２の信号パス内に配設され、第２の変調信号（Ｓ２）から第２の測定信号（ＭＳ２）をタッピングしており、
前記第２の位相検出器（３５，３６，３７，３８）には、比較クロックパルス（ＴＳＨ）と、第２の光電変換器（１３）を介して第２の測定信号（ＭＳ２）が供給されており、
前記制御器（３９）は、第２の位相検出器（３５，３６，３７，３８）によって制御されており、さらに前記制御器（３９）は、第２の信号パス内か又はクロック信号パス内に配設された遅延素子（７）を、２つの変調信号（Ｓ１，Ｓ２）が同じ位相位置を有するように制御している、請求項１０記載の装置。
【請求項１５】
クロック発生器（３４）として制御された遅延素子が設けられており、該遅延素子には、クロック発生器（１１）から形成されたクロック信号（ＴＳ）が供給されている、請求項１４記載の装置。
【手続補正３】
【補正対象書類名】図面
【補正対象項目名】全図
【補正方法】変更
【補正の内容】
【図１】
2005531169.tif 000013
【図２】
2005531169.tif 000014
【図３】
2005531169.tif 000015
【図４】
2005531169.tif 000016
【図５】
2005531169.tif 000017
【図６】
2005531169.tif 000018
【図７】
2005531169.tif 000019
【図８】
2005531169.tif 000020
【国際調査報告】
2005531169.tif 000021
2005531169.tif 000022
2005531169.tif 000023
2005531169.tif 000024
2005531169.tif 000025
2005531169.tif 000026